(57)【要約】【課題】対物レンズの開口数（ＮＡ）、光束の波長及び媒体の大きさを変えることなく、記録できる情報信号の容量をより大きくする。【解決手段】ディスク状の基体とこの基体の主面部上に形成された信号記録層とを備える。信号記録層は、基体の主面部に略々垂直に入射される光束によって第１の情報信号を読出され、基体の主面部に略々平行に入射される光束によって第２の情報信号を読出される。【選択図】　図７
2004013937.tif 000002
【特許請求の範囲】
【請求項１】
ディスク状の基体と、この基体の主面部上に形成された信号記録層とを備えた記録媒体であって、
上記信号記録層は、上記基体の主面部に略々垂直に入射される光束によって第１の情報信号の読出しが行われ、
上記基体の主面部に略々平行に入射される光束によって上記第１の情報信号とは異なる第２の情報信号の読出しが行われることを特徴とする記録媒体。
【請求項２】
上記信号記録層は、上記第２の情報信号に対応した位置に、この基体の主面部に対して傾斜された光反射部材が埋設されており、上記基体の主面部に略々平行に入射される光束を該光反射部材によって反射させて、上記基体の主面部に略々垂直な方向に出射させることを特徴とする請求項１記載の記録媒体。
【請求項３】
上記基体の主面部に略々平行に入射される光束は、上記信号記録層の外周縁部より入射されることを特徴とする請求項２記載の記録媒体。
【請求項４】
上記基体の主面部に略々平行に入射される光束は、該基体の中心部に形成されこの基体を支持するための透孔の内周縁部に臨む上記信号記録層の内周縁部より入射されることを特徴とする請求項２記載の記録媒体。
【請求項５】
上記基体の主面部に略々平行に入射される光束の上記信号記録層への入射端となる該信号記録層の外周縁部またはこの基体の中心部に形成された透孔の内周縁部には、該光束を該信号記録層内に導入するための集光手段が配設されていることを特徴とする請求項２記載の記録媒体。
【請求項６】
上記信号記録層は、上記基体の主面部に対して傾斜された複数の光反射部材が埋設されており、これら光反射部材により反射された光が出射される側であって上記第２の情報信号に対応した位置には、遮光部材が配設されており、上記基体の主面部に略々平行に入射される光束を該光反射部材によって反射させ、上記遮光部材によって遮光されない位置の光反射部材については、この基体の主面部に略々垂直な方向に出射させることを特徴とする請求項１記載の記録媒体。
【請求項７】
上記基体の主面部に略々平行に入射される光束は、上記信号記録層の外周縁部より入射されることを特徴とする請求項６記載の記録媒体。
【請求項８】
上記基体の主面部に略々平行に入射される光束は、該基体の中心部に形成されこの基体を支持するための透孔の内周縁部に臨む上記信号記録層の内周縁部より入射されることを特徴とする請求項６記載の記録媒体。
【請求項９】
上記基体の主面部に略々平行に入射される光束の上記信号記録層への入射端となる該信号記録層の外周縁部またはこの基体の中心部に形成された透孔の内周縁部には、該光束を該信号記録層内に導入するための集光手段が配設されていることを特徴とする請求項６記載の記録媒体。
【請求項１０】
ディスク状の基体とこの基体の主面部上に形成された信号記録層とを備えた記録媒体が装着され、この記録媒体から情報信号の読出しを行う再生装置であって、
上記信号記録層に対し、上記基体の主面部に略々垂直に光束を入射させ、この光束の該信号記録層からの反射光束によって第１の情報信号の読出しを行う第１の読出し手段と、
上記基体の主面部に略々平行に光束を入射させ、この基体または上記信号記録層の少なくとも一方を透過して出射された光束によって、上記第１の情報信号と異なる第２の情報信号の読出しを行う第２の読出し手段と
を備えた
ことを特徴とする再生装置。
【請求項１１】
装着される記録媒体は、上記信号記録層の上記第２の情報信号に対応した位置に、上記基体の主面部に対して傾斜された光反射部材が埋設されており、この基体の主面部に略々平行に入射される光束を該光反射部材によって反射させて、この基体の主面部に略々垂直な方向に上記信号記録層を透して出射させるものであり、
上記第２の読出し手段は、上記基体の主面部に略々平行に入射され上記光反射部材によって反射されこの基体の主面部に略々垂直な方向に出射された光束を検出することを特徴とする請求項１０記載の再生装置。
【請求項１２】
上記第２の読出し手段は、上記信号記録層の外周縁部より、上記基体の主面部に略々平行な光束を入射させることを特徴とする請求項１１記載の再生装置。
【請求項１３】
上記第２の読出し手段は、上記基体の中心部に形成されこの基体を支持するための透孔の内周縁部に臨む上記信号記録層の内周縁部より、該基体の主面部に略々平行な光束を入射させることを特徴とする請求項１１記載の再生装置。
【請求項１４】
上記第２の読出し手段は、上記基体の主面部に略々平行に入射される光束の上記信号記録層への入射端となる該信号記録層の外周縁部または該基体の中心部に形成された透孔の内周縁部に臨む上記信号記録層の内周縁部に配設された集光手段を介して、該基体の主面部に略々平行な光束を該信号記録層に入射させることを特徴とする請求項１１記載の再生装置。
【請求項１５】
装着される記録媒体は、上記信号記録層に上記基体の主面部に対して傾斜された複数の光反射部材が埋設され、これら光反射部材により反射された光が出射される側であって上記第２の情報信号に対応した位置に、遮光部材が配設され、上記基体の主面部に略々平行に入射される光束を該光反射部材によって反射させ、上記遮光部材によって遮光されない位置の光反射部材については、この基体の主面部に略々垂直な方向に出射させるものであり、
上記第２の読出し手段は、上記基体の主面部に略々平行に入射され上記光反射部材によって反射されこの基体の主面部に略々垂直な方向に出射された光束を検出することを特徴とする請求項１０記載の再生装置。
【請求項１６】
上記第２の読出し手段は、上記信号記録層の外周縁部より、上記基体の主面部に略々平行な光束を入射させることを特徴とする請求項１５記載の再生装置。
【請求項１７】
上記第２の読出し手段は、上記基体の中心部に形成されこの基体を支持するための透孔の内周縁部に臨む上記信号記録層の内周縁部より、該基体の主面部に略々平行な光束を入射させることを特徴とする請求項１５記載の再生装置。
【請求項１８】
上記第２の読出し手段は、上記基体の主面部に略々平行に入射される光束の上記信号記録層への入射端となる該信号記録層の外周縁部または該基体の中心部に形成された透孔の内周縁部に臨む上記信号記録層の内周縁部に配設された集光手段を介して、該基体の主面部に略々平行な光束を該信号記録層に入射させることを特徴とする請求項１５記載の再生装置。
【発明の詳細な説明】
【０００１】
【発明の属する技術分野】
本発明は、情報信号が記録される記録媒体及びこの記録媒体より情報信号を読出す再生装置に関する。
【０００２】
【従来の技術】
情報信号が記録されるための種々の記録媒体が提案され、また、このような記録媒体より情報信号を読出す再生装置が提案されている。例えば、いわゆる「ＣＤ（コンパクトディスク）」（商標名）や「ＣＤ−Ｒ」（商標名）などの記録媒体は、ポリカーボネイト（Ｐｏｌｙｃａｒｂｏｎａｔｅ）からなるディスク基体を有し、このディスク基体の主面部上に信号記録層が形成されて構成されている。そして、これらの記録媒体は、再生装置において、ディスク基体側からこのディスク基体の主面部に対して略々垂直にレーザ光束を照射して信号記録層上に集光させ、このレーザ光束の反射光束を検出することにより、情報信号の読出しを行うことができる。
【０００３】
このような記録媒体においては、信号記録層には、記録される情報信号に応じて、いわゆるピットやランドといわれる凹凸が形成されている。そして、再生装置においては、信号記録層からの反射光束の光出力を検出することにより、該信号記録層におけるピットやランドの状態（有無）を判定し、情報信号の再生（復号）を行う。
【０００４】
【発明が解決しようとする課題】
ところで、上述のような記録媒体及び再生装置においては、光束を信号記録層上に集光させるための対物レンズの開口数（ＮＡ）及び該光束の波長によって、該光束が信号記録層上に集光されて形成する光スポットの大きさが決まってしまう。そして、この光スポットの大きさによって、信号記録層における記録密度が決まるため、信号記録領域の面積が決まれば、１枚の記録媒体に記録できる情報信号の容量も決まってしまう。
【０００５】
そのため、これら対物レンズの開口数（ＮＡ）、光束の波長及び媒体の大きさ（信号記録領域の面積）という条件が等しい場合においては、記録できる情報信号の容量をより大きくすることはできない。
【０００６】
そこで、本発明は、上述の実情に鑑みて提案されるものであって、対物レンズの開口数（ＮＡ）、光束の波長及び媒体の大きさを変えることなく、記録できる情報信号の容量をより大きくできる記録媒体及びこのような記録媒体から情報信号の読出しを行う再生装置を提供しようとするものである。
【０００７】
【課題を解決するための手段】
上述の課題を解決するため、本発明に係る記録媒体は、ディスク状の基体とこの基体の主面部上に形成された信号記録層とを備えた記録媒体であって、信号記録層は、基体の主面部に略々垂直に入射される光束によって第１の情報信号の読出しが行われ、基体の主面部に略々平行に入射される光束によって第１の情報信号とは異なる第２の情報信号の読出しが行われることを特徴とするものである。
【０００８】
この記録媒体においては、ディスク状の基体の主面部に略々垂直に入射される光束及び該基体の主面部に略々平行に入射される光束によってそれぞれ情報信号の読出しが行われるので、一の記録媒体に記録される情報信号の容量を大きくすることができる。
【０００９】
そして、本発明に係る再生装置は、ディスク状の基体とこの基体の主面部上に形成された信号記録層とを備えた記録媒体が装着されこの記録媒体から情報信号の読出しを行う再生装置であって、信号記録層に対し基体の主面部に略々垂直に光束を入射させこの光束の該信号記録層からの反射光束によって第１の情報信号の読出しを行う第１の読出し手段と、基体の主面部に略々平行に光束を入射させこの基体または信号記録層の少なくとも一方を透過して出射された光束によって第１の情報信号と異なる第２の情報信号の読出しを行う第２の読出し手段とを備えたことを特徴とするものである。
【００１０】
この再生装置においては、ディスク状の基体の主面部に略々垂直に入射される光束及び該基体の主面部に略々平行に入射される光束によって第１及び第２の読出し手段によりそれぞれ情報信号の読出しを行うので、一の記録媒体から容量を大きな情報信号の読出しを行うことができる。
【００１１】
【発明の実施の形態】
以下、本発明の実施の形態を図面を参照しながら説明する。
【００１２】
〔１〕側面側からの入射光を上面側に反射させることで付加データを読出す方式
（１）記録媒体の構成
この記録媒体は、図１に示すように、ディスク状の基体１０１を有し、この基体１０１の主面部上に形成された信号記録層１０２とを有して構成されている。そして、信号記録層１０２は、図２に示すように、通常データ記録層１０２ａ及び付加データ記録層１０２ｂとが積層されて構成されている。
【００１３】
通常データ記録層１０２ａは、信号記録層１０２の基体１０１側に位置しており、図３に示すように、情報信号に応じてピット１０３が形成されている。このピット１０３は、情報信号に応じた位置、または、深さを有して、通常データ記録層１０２ａと基体１０１との境界面に位置して形成されている。
【００１４】
この通常データ記録層１０２ａからは、基体１０１側よりこの基体１０１の主面部に略々垂直に光束を照射してこの光束の通常データ記録層１０２ａからの反射光束を検出することにより、ピット１０３の有無（位置）、または、深さを検出することによって、通常データ（「１，０情報」）が読出される。
【００１５】
そして、この記録媒体においては、図４に示すように、各ピット１０３の底部分は、ハーフミラー素材１０４で形成されている。これらピット１０３に入射光された光束は、ハーフミラー素材１０４によって反射された反射光とハーフミラー素材１０４を透過した透過光とに分かれる。通常データの読出しは、ハーフミラー素材１０４によって反射された反射光に基づいて行われる。
【００１６】
付加データ記録層１０２ｂは、図５に示すように、基材１０１の主面部に略々平行に入射される光束、すなわち、記録媒体の側縁の面から入射される光束を、上方へ、すなわち、基材１０１の主面部に略々垂直な方向に出射させる機能を有している。すなわち、この付加データ記録層１０２ｂには、記録媒体の側縁の面から入射された光束を反射させるための光反射部材光反射部材となるハーフミラー素材１０５ａもしくはミラー素材１０５ｂが、基材１０１の主面部に対して傾斜されて埋設されている。
【００１７】
付加データ記録層１０２ｂにミラー素材１０５ｂが埋設されている場合には、図６に示すように、基材１０１の主面部に略々平行に入射された入射光は、全反射されて、基材１０１の主面部に垂直な方向に出射される。
【００１８】
また、付加データ記録層１０２ｂにハーフミラー素材１０５ａが埋設されている場合には、図７に示すように、基材１０１の主面部に略々平行に入射された入射光は、ハーフミラー素材１０５ａによって一部が反射され残部は透過する。一のハーフミラー素材１０５ａを透過した入射光は、さらに基材１０１の主面部に略々平行に進行し、他のハーフミラー素材１０５ａに入射する。ここで、入射光は、このハーフミラー素材１０５ａによって一部が反射され残部は透過する。このような過程が繰り返されることにより、基材１０１の主面部に垂直な方向には、ハーフミラー素材１０５ａが埋設された数及び位置に応じて、光束が出射される。そして、この出射光は、最後には、ミラー素材１０５ｂによって全反射されて、基材１０１の主面部に垂直な方向に出射される。
【００１９】
なお、各ハーフミラー素材１０５ｂの透過率をそれぞれ調整することにより、基材１０１の主面部に垂直な方向に出射される各光束の強度を互いに等しいものとすることができる。
【００２０】
このようにして付加データ記録層１０２ｂに記録される情報信号としては、通常データ記録層１０２ａに記録される情報信号に関連した情報を示す文字または数字のデータ（情報信号の題名や長さなどを示すもの）や、通常データ記録層１０２ａに記録される情報信号に関連した時刻を示す時刻データ（記録された時刻などを示すもの）や、通常データ記録層１０２ａに記録される情報信号について高解像度創造処理を行うための係数データまたは係数種データなどが考えられる。
【００２１】
なお、高解像度創造処理としては、例えば、特開平７−７５０６６号公報に記載されているように、クラス分類適応処理を使用することができる。また、クラス分類適応処理において使用される係数種データについては、本件出願人が、特願２００１−１１０６９５においてすでに提案しているものである。
【００２２】
（２）情報信号の記録方法
上述のような記録媒体において、付加データ記録層１０２ｂに、「０，１」からなる２値データを記録する場合には、図８に示すように、任意の位置にミラー素材を置かないことにより、基材１０１の主面部に平行に入射した光束が基材１０１の主面部に垂直な方向に出射しないことをもって「０」（または、「１」）と定義し、図９に示すように、任意の位置にミラー素材１０５ｂを置くことにより、基材１０１の主面部に平行に入射した光束が基材１０１の主面部に垂直な方向に出射することをもって「１」（または、「０」）と定義することにより、１ビットの２値のデータを表現することができる。
【００２３】
また、図７に示すように、複数のハーフミラー素材１０５ａ及びミラー素材１０５ｂを用いることにより、基材１０１の主面部に平行に入射した光束に基づいて複数の光束を同時に基材１０１の主面部に垂直な方向に出射させることができ、この場合には、埋設できるハーフミラー素材１０５ａ及びミラー素材１０５ｂの数に応じたｎビットの２値のデータを表現することができる。
【００２４】
このように、ｎビットの２値データを、ハーフミラー素材１０５ａ及びミラー素材１０５ｂの埋設数及び位置によって表現することができるが、図１０に示すように、全てのビットに対応する位置にハーフミラー素材１０５ａ及びミラー素材１０５ｂを埋設し、基材１０１の主面部に垂直な方向に光束を出射させたくない位置に不透明材料からなる遮光部材１０６を設置するようにしてもよい。
【００２５】
そして、図１１に示すように、基材１０１の外周縁部、または、基体１０１の中心部に形成されこの基体１０１を支持するための透孔１０１ａの内周縁部から、この基材１０１の径方向に光束が入射される場合において、付加データ記録層１０２ｂには、基材１０１の回転に伴って、異なる位置に順次光束が入射されることになる。したがって、上述のような２値データは、この記録媒体上の周方向に配列された複数の位置に、図１２に示すように、ミラー素材１０５ｂを埋設し、または、埋設しないことにより、表現することができる。この場合には、図１１中の（Ａ）に示すように、同一周上に複数のミラー素材１０５ｂを埋設してもよく、または、図１１中の（Ｂ）に示すように、異なる周上に（つまり、記録媒体の中心からの距離を変えて）ミラー素材１０５ｂを埋設してもよい。
【００２６】
そして、図１４に示すように、ハーフミラー素材１０５ａ及びミラー素材１０５ｂを埋設する場合には、図１３に示すように、同一径方向上に、複数のハーフミラー素材１０５ａ及びミラー素材１０５ｂを埋設することができ、同一径方向についてｎビットの２値データを記録媒体の周上に配列させて記録しておくことができる。
【００２７】
この場合においても、図１３中の（Ａ）に示すように、同一周上に複数のハーフミラー素材１０５ａまたはミラー素材１０５ｂを埋設してもよく、または、図１３中の（Ｂ）に示すように、異なる周上に（つまり、記録媒体の中心からの距離を変えて）ハーフミラー素材１０５ａまたはミラー素材１０５ｂを埋設してもよい。
【００２８】
（３）再生装置の構成
本発明に係る再生装置は、上述のような記録媒体を用いて、通常データ記録層１０２ａに記録された情報信号を読出すとともに、付加データ記録層１０２ｂに記録された情報信号をも読出すように構成されている。この再生装置においては、図１５に示すように、記録媒体の基体１０１の中心部に形成された透孔１０１ａに回転軸１を挿通させて、基体１０１を支持する。そして、この回転軸１を回転操作することによって、記録媒体を回転操作する。
【００２９】
通常データ記録層１０２ａに記録された情報信号は、図１６に示すように、この通常データ記録層１０２ａに基材１０１を介して対向して配置されている光学ピックアップ装置２によって、基材１０１の主面部に垂直な方向から光束を照射され、この光束の反射光束を検出されることによって、読出される。この光学ピックアップ装置２は、図１６中矢印Ｔで示す記録媒体の径方向（トラッキング方向）に任意の移動操作が可能であるとともに、図１６中矢印Ｔで示すトラッキング方向及び図１６中矢印Ｆで示す記録媒体に対する接離方向（フォーカス方向）について、アクチュエータ３によって、記録媒体に追従するトラッキングサーボ動作及びフォーカスサーボ動作が可能となされている。
【００３０】
そして、付加データ記録層１０２ｂに記録された情報信号は、基材１０１の主面部に平行に光束を入射させ、この光束のハーフミラー素材１０５ａまはたミラー素材１０５ｂによる反射光を光学ピックアップ装置２によって検出することによって読出される。
【００３１】
そして、この再生装置は、基材１０１の主面部に平行に光束を入射させるための構成として、基材１０１の外周縁側より光束を入射させる構成、または、基材１０１の透孔１０１ａの内周縁側より光束を入射させる構成のいずれかを備えている。
【００３２】
すなわち、記録媒体に外周縁側より光束を入射させる構成は、図１５及び図１６に示すように、回転操作される記録媒体の外周側となる位置に半導体レーザからなる光源４を設置し、この光源４から発せられる光束を付加データ記録層１０２ｂに入射させるものである。
【００３３】
この構成においては、記録媒体が回転に伴っていわゆる面ぶれを生じ、光源４の位置における記録媒体の外周縁部が基材１０１の主面部に垂直な方向に周期的に移動するので、光源４は、アクチュエータ５により、図１６中矢印Ｇで示すように、基材１０１の主面部に垂直な方向に記録媒体の外周縁部に追従して移動操作される。このような光源４の移動操作は、光学ピックアップ装置におけるフォーカスサーボ動作に同期して行うことができる。
【００３４】
また、記録媒体に透孔１０１ａの内周縁側より光束を入射させる構成は、図１７及び図１８に示すように、記録媒体を支持し回転操作する回転軸１内に半導体レーザからなる光源４を設置するものである。この光源４から出射された光束は、回転軸１から外側に向けて出射され、付加データ記録層１０２ｂに入射される。
【００３５】
この回転軸１においては、図１９に示すように、例えば、記録媒体の透孔１０１ａの内周縁部を位置決めして支持するためにこの回転軸１の外周面部に形成された溝６から、光束が出射されるようになっている。この場合には、回転軸１の内側に、この回転軸１とともに回転しない固定軸８を設け、この固定軸８によって光源４を支持するようにする。溝６は、底部が光透過部材７によって形成するようにする。この構成においては、光源４から発せられた光束は、溝６の底部をなす光透過部材７を透過して回転軸１の外周側に向けて出射され、回転軸１が回転しても一定の位置に留まっているので、付加データ記録層１０２ｂの異なる位置に順次入射されることとなる。
【００３６】
この場合には、記録媒体の透孔１０１ａの内周縁部と回転軸とは、互いに所定の高さ位置において固定されているので、回転軸１が回転しても、光源４から発せられた光束が付加データ記録層１０２ｂに確実に入射される。
【００３７】
そして、記録媒体においては、図２０に示すように、光源４からの光束が付加データ記録層１０２ｂに入射し易くなるようにするため、外周縁部近傍、または、透孔１０１ａの内周縁部近傍に、光集光手段となる集光レンズ１０７を設けるようにしてもよい。この場合には、光源４から発せられた光束は、この光束と付加データ記録層１０２ｂとが相対的に移動しても、集光レンズ１０７によって集光され導かれることにより、付加データ記録層１０２ｂに確実に入射される。このような集光レンズ１０７を設けることにより、特に、記録媒体の外周縁部より光束を入射させる場合において、光源４の取付位置精度や、光学ピックアップ装置２のフォーカスサーボ動作に同期した光源４の移動操作の精度を緩和することができ、あるいは、フォーカスサーボ動作に同期した移動操作が不要になる。
【００３８】
（４）再生動作
上述のように構成された再生装置においては、基材１０１の主面部に平行に入射された光束の基材１０１の主面部に垂直な方向への出射光束を検出するための構成として、上述のように、通常データ記録層１０２ａに記録された情報信号を読出すための光学ピックアップ装置２によって検出することとして、この光学ピックアップ装置２によって、通常データ記録層１０２ａに記録された情報信号及び付加データ記録層１０２ｂに記録された情報信号の双方の読出しを行うようにしてもよい。
【００３９】
また、この再生装置は、図２１に示すように、通常データ記録層１０２ａに記録された情報信号を読出すための光学ピックアップ装置２とは別個に、付加データ記録層１０２ｂに記録された情報信号のみを読出す光検出装置を設けるようにしてもよい。この場合には、通常データ記録層１０２ａからの情報信号の読出しと付加データ記録層１０２ｂからの情報信号の読出しとを同時に行うことが可能であるので、それぞれの読出し動作は、図２２に示すように、時間的に連続して並行して行うことができる。
【００４０】
これに対して、図２３に示すように、通常データ記録層１０２ａに記録された情報信号を読出すための光学ピックアップ装置２によって付加データ記録層１０２ｂに記録された情報信号をも読出す場合には、図２４に示すように、受光素子を共用して装置構成を簡素化できる利点があるが、通常データ記録層１０２ａからの情報信号の読出しと付加データ記録層１０２ｂからの情報信号の読出しとを同時に行うことはできない。したがって、この場合には、図２４に示すように、通常データ記録層１０２ａからの情報信号の読出しと付加データ記録層１０２ｂからの情報信号の読出しとを時間的に切換えて、それぞれの情報信号を断続的に読出すようにする。この場合には、光学ピックアップ装置２に内蔵された光源と、付加データ記録層１０２ｂに光束を入射させるための光源４とを、通常データ記録層１０２ａからの情報信号の読出しと付加データ記録層１０２ｂからの情報信号の読出しとの切換えに同期させて、それぞれ断続的に発光させるようにする。
【００４１】
〔２〕側面からの光入力を、側面から読み出すことで付加データを取得する方式
（１）記録媒体の構成
この記録媒体は、図２５に示すように、上述したように基材１０１及び通常データ記録層１０２ａを有し、さらに、これら基材１０１及び通常データ記録層１０２ａの外周縁部に、反射素材、吸収素材、または、ハーフミラー素材等により形成した付加データ記録部１０２ｃを設けて構成するようにしてもよい。
【００４２】
この付加データ記録部１０２ｃは、入射光束の透過光量、または、反射光量を制御することによって、「０，１」からなる２値データを記録できるものである。
【００４３】
（２）情報信号の記録方法
この付加データ記録部１０２ｃは、入射光束を反射、透過、または、吸収する。したがって、この付加データ記録部１０２ｃに光束を入射させ、この付加データ記録部１０２ｃによって反射された光束、または、透過した光束を検出することにより、検出光の有無を「１」または「０」に対応させ、付加データとしての２値データを読出すことができる。
【００４４】
（３）再生装置の構成
この記録媒体に対応する再生装置は、図２６に示すように、記録媒体の外周側に、光源及び光検出部を有する読取装置１０を設置して付加データ記録部１０２ｃからの反射光束を検出する構成と、図２７に示すように、光源４を記録媒体の外周側に設置し、光検出部を有する読取装置１１を記録媒体の透孔１０１ａの内周縁側に設置して付加データ記録部１０２ｃの透過光束を検出する構成が考えられる。読取装置１１を透孔１０１ａの内周縁側に設置する場合には、この読取装置１１は、透孔１０１ａに嵌入して記録媒体を支持する回転軸１の中に設置される。
【００４５】
また、図２８に示すように、記録媒体の外周側に光源及び光検出部を有する読取装置１０を設置し、光検出部を有する読取装置１１を記録媒体の透孔１０１ａの内周縁側に設置して、これら読取装置１０，１１により、付加データ記録部１０２ｃからの反射光束及び透過光束の両方を検出するようにしてもよい。
【００４６】
付加データ記録部１０２ｃが反射素材から形成されている場合には、図２９に示すように、この付加データ記録部１０２ｃは、記録媒体の外周側より入射された光束を反射する。したがって、記録媒体の外周側において、付加データ記録部１０２ｃからの反射光束が検出され、記録媒体の内周側において、付加データ記録部１０２ｃからの透過光束が検出されない。この反射光束及び透過光束の有無によって、２値データを読み取ることができる。
【００４７】
また、付加データ記録部１０２ｃが吸収素材から形成されている場合には、図３０に示すように、この付加データ記録部１０２ｃは、記録媒体の外周側より入射された光束を吸収する。したがって、記録媒体の外周側において、付加データ記録部１０２ｃからの反射光束が検出されず、記録媒体の内周側において、付加データ記録部１０２ｃからの透過光束が検出されない。この反射光束及び透過光束の有無によって、２値データを読取ることができる。
【００４８】
さらに、付加データ記録部１０２ｃがハーフミラー素材から形成されている場合には、図３１に示すように、この付加データ記録部１０２ｃは、記録媒体の外周側より入射された光束を反射、及び透過する。したがって、記録媒体の外周側において、付加データ記録部１０２ｃからの反射光束が検出され、記録媒体の内周側において、付加データ記録部１０２ｃからの透過光束が検出される。この反射光束及び透過光束の有無によって、２値データを読取ることができる。
【００４９】
なお、図３２に示すように、付加データ記録部１０２ｃとして、反射素材、吸収素材、または、ハーフミラー素材のいずれも設けない場合、記録媒体の外周縁部からの入射光束は、略々すべての入射光束が、透孔１０１ａの内周縁部まで到達することとなる。したがって、記録媒体の外周側において、付加データ記録部へ１０２ｃからの反射光束が検出されず、記録媒体の内周側において、付加データ記録部１０２ｃからの透過光束が検出される。この反射光束及び透過光束の有無によって、２値データを読み取ることができる。
【００５０】
また、図３３に示すように、光源及び光検出部を有する読取装置１０を記録媒体の透孔１０１ａの内周縁側に設置して、付加データ記録部１０２ｃからの反射光束を検出する構成も考えられる。この場合には、読取装置１０の光源からの出射光束は、記録媒体の透孔１０１ａの内周縁部から入射し、この記録媒体の外周縁側部の付加データ記録部１０２ｃに到達し、この付加データ記録部１０２ｃにおいて反射、透過、または、吸収される。この入射光束が付加データ記録部１０２ｃにおいて反射された場合には、この反射光束は、再び、透孔１０１ａの内周縁部に戻り、読取装置１０の光検出部によって検出される。
【００５１】
読取装置１０を透孔１０１ａの内周縁側に設置する場合には、この読取装置１０は、透孔１０１ａに嵌入して記録媒体を支持する回転軸１の中に設置される。
【００５２】
上述のように、この記録媒体においては、付加データ記録部１０２ｃに記録したい情報信号に応じて、この付加データ記録部１０２ｃを設けることにより、付加データを記録することができる。
【００５３】
（４）再生動作
この記録媒体の通常データ記録層１０２ａに記録された情報信号は、上述したように、基材１０１の主面部に垂直な方向から、光学ピックアップ装置２によって読出される。
【００５４】
そして、付加データ記録部１０２ｃからは、上述のように、この付加データ記録部１０２ｃの材料に応じて、読取装置１０，１１によって、情報信号が読出される。したがって、この記録媒体からは、従来の通常データ記録層１０２ａのみを有する記録媒体に比べて、多くの情報信号を読出すことができる。
【００５５】
【発明の効果】
上述のように、本発明に係る記録媒体及び再生装置においては、ディスク状の基体の主面部に略々垂直に入射される光束及び該基体の主面部に略々平行に入射される光束によってそれぞれ情報信号の読出しが行われるので、一の記録媒体に記録される情報信号の容量を大きくすることができる。
【００５６】
また、基体の主面部に略々垂直に入射される光束によって読出される情報信号と基体の主面部に略々平行に入射される光束によって読出される情報信号とは、種類の異なる情報信号、例えば、従来はカットされていた楽音中の超低音部データや、楽曲の歌詞データ等についての情報信号とすることができる。
【００５７】
そして、この再生装置においては、ディスク状の基体の主面部に略々垂直に入射される光束及び該基体の主面部に略々平行に入射される光束によって第１及び第２の読出し手段によりそれぞれ情報信号の読出しを行うので、一の記録媒体から容量を大きな情報信号の読出しを行うことができる。
【００５８】
すなわち、本発明は、対物レンズの開口数（ＮＡ）、光束の波長及び媒体の大きさを変えることなく、記録できる情報信号の容量をより大きくできる記録媒体及びこのような記録媒体から情報信号の読出しを行う再生装置を提供することができるものである。
【図面の簡単な説明】
【図１】本発明に係る記録媒体の構成を示す斜視図である。
【図２】上記記録媒体の構成を示す断面図である。
【図３】上記記録媒体の通常データ記録層の構成を示す断面図である。
【図４】上記記録媒体の通常データ記録層の要部の構成を示す拡大断面図である。
【図５】上記記録媒体の付加データ記録層の構成（ハーフミラー素材）を示す断面図である。
【図６】上記記録媒体の付加データ記録層の構成（ミラー素材）を示す断面図である。
【図７】上記記録媒体の付加データ記録層の構成（ハーフミラー素材及びミラー素材）を示す断面図である。
【図８】上記記録媒体の付加データ記録層の構成（データ「０」の状態）を示す断面図である。
【図９】上記記録媒体の付加データ記録層の構成（データ「１」の状態）を示す断面図である。
【図１０】上記記録媒体の付加データ記録層の構成（遮光部材）を示す断面図である。
【図１１】上記記録媒体の構成（ミラー素材）を示す平面図である。
【図１２】上記記録媒体の構成（ミラー素材）を示す平面図である。
【図１３】上記記録媒体の構成（ハーフミラー素材）を示す平面図である。
【図１４】上記記録媒体の構成（ハーフミラー素材及びミラー素材）を示す平面図である。
【図１５】本発明に係る再生装置の構成を示す平面図である。
【図１６】上記再生装置の構成を示す側面図である。
【図１７】上記再生装置の構成の他の形態を示す平面図である。
【図１８】上記再生装置の構成の他の形態を示す側面図である。
【図１９】上記再生装置の回転軸の構成を示す斜視図及び縦断面図である。
【図２０】上記記録媒体の構成の他の形態を示す縦断面図である。
【図２１】上記記録媒体が装着された上記再生装置の構成を示す平面図である。
【図２２】上記再生装置の動作を示すタイムチャートである。
【図２３】上記記録媒体が装着された上記再生装置の構成の他の形態を示す平面図である。
【図２４】上記再生装置の動作の他の形態を示すタイムチャートである。
【図２５】本発明に係る記録媒体の構成のさらに他の形態（反射素材）を示す断面図である。
【図２６】上記図２５に示した記録媒体及び再生装置の構成を示す断面図である。
【図２７】上記記録媒体及び再生装置の構成のさらに他の形態（吸収素材）を示す断面図である。
【図２８】上記記録媒体及び再生装置の構成のさらに他の形態（ハーフミラー素材）を示す断面図である。
【図２９】上記記録媒体の構成のさらに他の形態（反射素材）を示す断面図である。
【図３０】上記記録媒体の構成のさらに他の形態（吸収素材）を示す断面図である。
【図３１】上記記録媒体の構成のさらに他の形態（ハーフミラー素材）を示す断面図である。
【図３２】上記記録媒体において付加データ記録部のない状態を示す断面図である。
【図３３】上記再生装置の構成のさらに他の形態を示す断面図である。
【符号の説明】
１　回転軸、２　光学ピックアップ装置、３，５　アクチュエータ、４　光源、１０，１１　読取装置、１０１　基材、１０２　信号記録層、１０２ａ　通常データ記録層、１０２ｂ　付加データ記録層、１０３　ピット、１０５ａ　ハーフミラー素材、１０５ｂ　ミラー素材、１０６　遮光部材、１０７　集光レンズ
【図１】
2004013937.tif 000003
【図２】
2004013937.tif 000004
【図３】
2004013937.tif 000005
【図４】
2004013937.tif 000006
【図５】
2004013937.tif 000007
【図６】
2004013937.tif 000008
【図７】
2004013937.tif 000009
【図８】
2004013937.tif 000010
【図９】
2004013937.tif 000011
【図１０】
2004013937.tif 000012
【図１１】
2004013937.tif 000013
【図１２】
2004013937.tif 000014
【図１３】
2004013937.tif 000015
【図１４】
2004013937.tif 000016
【図１５】
2004013937.tif 000017
【図１６】
2004013937.tif 000018
【図１７】
2004013937.tif 000019
【図１８】
2004013937.tif 000020
【図１９】
2004013937.tif 000021
【図２０】
2004013937.tif 000022
【図２１】
2004013937.tif 000023
【図２２】
2004013937.tif 000024
【図２３】
2004013937.tif 000025
【図２４】
2004013937.tif 000026
【図２５】
2004013937.tif 000027
【図２６】
2004013937.tif 000028
【図２７】
2004013937.tif 000029
【図２８】
2004013937.tif 000030
【図２９】
2004013937.tif 000031
【図３０】
2004013937.tif 000032
【図３１】
2004013937.tif 000033
【図３２】
2004013937.tif 000034
【図３３】
2004013937.tif 000035